(57)【要約】【課題】  椅子やソファー・ベットマットレス等に内装されて使用されるポケットコイルスプリング列を使用する用途に合わせた長さに材料を無駄にすることなく、しかも効率よくカットする製造方法を提供することを目的とするものである。【解決手段】  本発明は連続したポケットコイルバネ列の任意の長さの位置で、隣り合うポケットコイルバネの分離部を超音波溶着又はインパルス溶着で再度二重シールし、その二重シールの間をカッターナイフでカットする方法を特徴するものである。【選択図】図１
2007045518.tif 000002
【特許請求の範囲】
【請求項１】
不織布又は布地によりポケット状に形成した連続円筒形の１袋に１個のコイルバネを収納して列状に形成された連続ポケットコイル列を、任意に設定した個数おきにシール・カットする装置であって、二重シールするためのシール手段と、二重シールの間をカッターナイフを移動させてカットするカット手段と、ポケットコイル列を送る搬送手段からなるポケットコイル列シール・カット装置。
【請求項２】
請求項１のシール手段がカッターナイフ通過用の細い溝のあるホーンを有する超音波溶着装置であること。
【請求項３】
請求項１のシール手段でインパルスヒーター線がカッターナイフ走行線の両サイドに敷設されていることを特徴とするインパルス溶着装置。
【請求項４】
超音波用溶着機のコンバーター・ホーンがコイルバネ胴径の約１／２以上、上下する機構を備えていることを特徴とする請求項１のシール手段。
【請求項５】
超音波溶着用の下型がコイルバネ胴径の約１／２以上、上下する機構を備えていることを特徴とする請求項１のシール手段。
【請求項６】
超音波溶着用の下型が２つに分割されその分割された中心をカッターナイフが移動できる状態に敷設されていることを特徴とする請求項１のシール手段。
【発明の詳細な説明】
【技術分野】
【０００１】  本発明は、椅子やソファー等の家具やベットマットレス等の寝具に内装されて使用されるポケットコイルバネ列を、使用する用途に合わせた長さに無駄なく、効率よくカットする装置である。
【背景技術】
【０００２】  従来は、図１０の４で示すように、ポケットコイルバネ列を作る時点で、用途に合わせた長さの位置でコイルスプリングの無い空のポケット部を作り、この空のポケット部をカットする方法が採用されていたが、この方法は空のポケット部の不織布が無駄になり、また空ポケット部が多いほど生産能力が低下する欠点があった。
【発明の開示】
【発明が解決しようとする課題】
【０００３】  本発明は以上の点に鑑み、上記したコイルスプリングの無い空ポケットを作らず不織布の無駄を無くすとともに、生産能力を向上させることを目的とする。
【課題を解決するための手段】
【０００４】  上記目的を達成するため、本発明は連続したポケットコイルバネ列の任意の長さの位置で、隣り合うポケットコイルのシール部を再度二重シールし、その二重シールの間をカットする方法を特徴するものである。
【発明の効果】
【０００５】  従来の方法は、上記で説明したコイルスプリングの飛び出しを防ぐため、図８・図１０で示すようにコイルスプリングの無いポケット４を作り、その中心部をカット線７とすることでコイルスプリングの飛び出しを防いだが、この方法は材料の無駄と生産効率が低下する大きな欠点があつたが、本発明はこれらの欠点を一挙に解決した。
【発明を実施するための最良の形態】
【０００６】  本発明の実施の形態を図面に基づいて説明する。図１は、超音波溶着シール機器を搭載した装置の略図を示す側面図、図２は図１の重要部分の拡大図であり、図３はその前面図である。図中符号１は連続したポケットコイルバネ列を示し、図中符号２０は連続したポケットコイルバネ列を搬送するコンベアー装置を示している。また図１・図２はホーン１０が下降位置、アンビル１４ａ１４ｂが上昇位置にあり超音波による二重シールしている状態及びその二重シールの間をカットしている状態を示している。図３はホーン１０が上昇位置、アンビル１４ａ１４ｂが下降位置にありホーン１０の下面とアンビル１４ａ１４ｂの上面の間隔が約ポケットコイルスプリングの径以上に設定されており、この間をポケットコイルスプリング列１が通過できる状態を示している。【０００７】  超音波装置は、コンバーター１１とホーン１０とパワーサプライ（図示なし）で構成されており、コンバーター１１とホーン１０はネジで固着され、コンバーター１１はケーブルでパワーサプライ（図示なし）と連結されている、コンバーター１１はシリンダー１２のスライド部に固着されており上昇下降できる構造になっており、その上下運動量は、ポケットコイルバネ列１の送り出しを妨げないようにポケットコイルバネ径の約１／２以上に設定されている。ホーン１０の下先端部にはカッターナイフ１５が通過する溝１０ａを有している。【０００８】  アンビルは、カッターナイフ１５の通過を許すためアンビル右１４ａ・アンビル左１４ｂに対象に配置されている、アンビル右１４ａは支持板２３ａに固着され、支持板２３ａはシリンダーベース２５に固定されている、またアンビル左１４ｂは支持板２３ｂに固着され、支持板２３ｂはシリンダーベース２５に固定されている、カッターナイフ１５はカッターナイフホルダー２２でカッターナイフ取り付け土台２１に固定され、カッターナイフ取り付け土台２１はロットレスシリンダー１６のスライダーベースに固定されており、カッターナイフ１５がアンビル右１４ａと、アンビル左１４ｂの間を走行する構造を有している。またシリンダーベース２５はシリンダー１７のシリンダーロットベース２７に固定されており、上昇下降できる構造になっており、その上下運動量は、ポケットコイルバネ列１の送り出しを妨げないようにポケットコイルバネ径の約１／２以上に設定されている。【０００９】  ホーン１０が上昇位置にあり、アンビル１４ａ１４ｂが下降位置にある状態でコンベアー２０が回転しコンベアーベルト１８の上にあるポケットコイルバネ列１を送る、このときセンサー１３で個数を検知し、予めカウンターで設定した個数でコンベアー２０を停止させる。次にホーン１０を下降させると同時にアンビル１４ａ１４ｂを上昇させ、ホーン１０の下面とアンビル１４ａ１４ｂの上面で隣接するポケットコイルスプリングとポケットコイルスプリングの間の不織布を挟み、超音波装置のパワーサプライをＯＮしてホーン１０に超音波を発生させると図７で示すように右シール６ａ，左シール６ｂが同時に実行される、又ほぼ同時にロットレスシリンダー１６が働きカッターナイフ１５を移動させ、このカッターナイフ１５で右シール６ａと左シール６ｂの間���カット線７をカットする。【００１０】従って、カット線７を中心に隣り合うポケットコイルスプリングの左側ポケットコイルは、左シール６ｂで閉じられ、右側ポケットコイルスプリングは、右シールで閉じられているためカット線７をカットしてもコイルスプリングが飛び出すことわない、もし、右シール６ａと左シール６ｂがないとカット線７でカットした場合、隣り合うポケットのいずれかがパンクした状態となり、中のコイルスプリングが飛び出すことになる。【００１１】  従来の方法は、上記で説明したコイルスプリングの飛び出しを防ぐため、図８・図１０で示すようにコイルスプリングの無いポケット４を作り、その中心部をカット線７とすることでコイルスプリングの飛び出しを防いだが、この方法は材料の無駄と生産効率が低下する大きな欠点があつたが、本発明はこれらの欠点を一挙に解決した。【００１２】  図４・図５は、インパルスシール方式の概略図であり、超音波シールの代わりにインパルス熱線シール方式を採用していることを特徴としている。この方式は右アンビル３７ａと左アンビル３７ｂの夫々の上面にインパルスヒーター線３６ａ・３６ｂを配設し、このインパルスヒーター熱で右シール６ａと左シール６ｂを形成するものでり、その他の構造は前述した超音波シール方式とほぼ同じであるため説明を省略する。
【図面の簡単な説明】
【００１３】
【図１】はポケットコイルスプリング列を定寸に切り離す超音波シールカット装置の概略を示す側面図である。
【図２】は図１の本発明重要部分の拡大側面図である。
【図３】はポケットコイルスプリング列を定寸に切り離す超音波シールカット装置の概略を示す前面図である。
【図４】はポケットコイルスプリング列を定寸に切り離すインパルスシールカット装置の概略を示す本発明重要部分の拡大側面図である。
【図５】はポケットコイルスプリング列を定寸に切り離すインパルスシールカット装置の概略を示す前面図である。
【図６】はポケットコイルスプリング列を二重シールしカットしている部分の拡大側面図である。
【図７】はポケットコイルスプリング列を二重シールしカットしている部分の上面図である。
【図８】は従来方式でポケットコイルスプリング列をカットしている部分の上面図である。
【図９】はポケットコイルスプリング列を二重シールしカットする位置を示す斜視図である。
【図１０】は従来方式でポケットコイルスプリング列をカットする位置を示す斜視図である。
【符号の説明】
【００１４】１・・・ポケットコイルスプリング列
２・・・ポケットコイルスプリング
３・・・コイルスプリング
４・・・空ポケット（コイルスプリングの無いポケット）
５・・・仕切シール
６ａ・・右シール
６ｂ・・左シール
７・・・カット線
１０・・ホーン
１０ａ・ホーン溝
１４ａ・アンビル右
１４ｂ・アンビル左
１５・・カッターナイフ
３６ａ・ヒーター線右
３６ｂ・ヒーター線左
【図１】
2007045518.tif 000003
【図２】
2007045518.tif 000004
【図３】
2007045518.tif 000005
【図４】
2007045518.tif 000006
【図５】
2007045518.tif 000007
【図６】
2007045518.tif 000008
【図７】
2007045518.tif 000009
【図８】
2007045518.tif 000010
【図９】
2007045518.tif 000011
【図１０】
2007045518.tif 000012